(57)【要約】【課題】製造コストの嵩張りを抑えつつ、外力によるロックアームの過度な変位を効果的に抑制することが可能なコネクタを提供すること。【解決手段】ロックアーム３１は、揺動アーム３３における嵌合方向の後方側に形成されて両側方へ向かって突設された係止突起５１を備え、ハウジング本体２１は、ロックアーム３１の両側に沿って立設された保護壁４１を有し、保護壁４１は、揺動アーム３３へ向かって突設されて係止突起５１に対してハウジング本体２１と反対側で揺動アーム３３の揺動方向に重なり合う位置に形成されためくれ防止突起５２を有し、係止突起５１とめくれ防止突起５２の嵌合方向の前端面５１ａ，５２ａ及び後端面５１ｂ，５２ｂがそれぞれ面一とされている。【選択図】図６
2020173909.tif 000002
【特許請求の範囲】
【請求項１】
相手側ハウジングに嵌合されるハウジング本体と、
前記ハウジング本体の外周の一部に設けられ、前記相手側ハウジングに形成された突起部を係止してロックするロックアームと、
を有するハウジングを備えたコネクタであって、
前記ロックアームは、
前記相手側ハウジングに対する前記ハウジング本体の嵌合方向に沿って延在されて前記ハウジング本体に対して揺動可能に支持された揺動アームと、
前記揺動アームにおける前記嵌合方向の前方側で前記ハウジング本体側へ突設され、前記相手側ハウジングに対する前記ハウジング本体の嵌合によって前記突起部を係止する係止爪と、
前記揺動アームにおける前記嵌合方向の後方側に形成されて両側方へ向かって突設された係止突起と、
を備え、
前記ハウジング本体は、前記ロックアームの両側に沿って立設された保護壁を有し、
前記保護壁は、前記揺動アームへ向かって突設されて前記係止突起に対して前記ハウジング本体と反対側で前記揺動アームの揺動方向に重なり合う位置に形成されためくれ防止突起を有し、
前記係止突起と前記めくれ防止突起の前記嵌合方向の前端面及び後端面がそれぞれ面一とされている
ことを特徴とするコネクタ。
【請求項２】
前記保護壁には、前記ロックアーム側に凹部を有し、
前記めくれ防止突起が前記凹部に形成されている
ことを特徴とする請求項１に記載のコネクタ。
【請求項３】
前記めくれ防止突起は、前記ロックアームよりも前記ハウジング本体側に設けられている
ことを特徴とする請求項１または請求項２に記載のコネクタ。
【発明の詳細な説明】
【技術分野】
【０００１】
本発明は、コネクタに関する。
【背景技術】
【０００２】
相手側ハウジングに嵌合されるハウジングを備えたコネクタは、相手側ハウジングの突起部を係止する係止爪が形成されたロックアームを備えている。このコネクタには、ロックアームの後端に側方へ突出するストッパを形成し、このストッパがロックアームを囲うフード部に形成された干渉部に当接することで、ロックアームが過度に変位して破損することを防ぐものがある（例えば、特許文献１，２参照）。
【先行技術文献】
【特許文献】
【０００３】
【特許文献１】特開２０１８−４５７８１号公報
【特許文献２】特開２０１７−１９１７４６号公報
【発明の概要】
【発明が解決しようとする課題】
【０００４】
しかし、ロックアーム及びフード部に、互いに当接するストッパ及び干渉部を設けることで、ハウジングを成形する金型の複雑化を招いて製造コストが嵩んでしまうおそれがある。このため、製造コストの嵩張りを抑えつつ、ロックアームの過度な変位を効果的に抑制することが可能なコネクタが要求されている。
【０００５】
本発明は、上述した事情に鑑みてなされたものであり、その目的は、製造コストの嵩張りを抑えつつ、外力によるロックアームの過度な変位を効果的に抑制することが可能なコネクタを提供することにある。
【課題を解決するための手段】
【０００６】
前述した目的を達成するために、本発明に係るコネクタは、下記（１）〜（３）を特徴としている。
（１）  相手側ハウジングに嵌合されるハウジング本体と、
前記ハウジング本体の外周の一部に設けられ、前記相手側ハウジングに形成された突起部を係止してロックするロックアームと、
を有するハウジングを備えたコネクタであって、
前記ロックアームは、
前記相手側ハウジングに対する前記ハウジング本体の嵌合方向に沿って延在されて前記ハウジング本体に対して揺動可能に支持された揺動アームと、
前記揺動アームにおける前記嵌合方向の前方側で前記ハウジング本体側へ突設され、前記相手側ハウジングに対する前記ハウジング本体の嵌合によって前記突起部を係止する係止爪と、
前記揺動アームにおける前記嵌合方向の後方側に形成されて両側方へ向かって突設された係止突起と、
を備え、
前記ハウジング本体は、前記ロックアームの両側に沿って立設された保護壁を有し、
前記保護壁は、前記揺動アームへ向かって突設されて前記係止突起に対して前記ハウジング本体と反対側で前記揺動アームの揺動方向に重なり合う位置に形成されためくれ防止突起を有し、
前記係止突起と前記めくれ防止突起の前記嵌合方向の前端面及び後端面がそれぞれ面一とされている
ことを特徴とするコネクタ。
（２）  前記保護壁には、前記ロックアーム側に凹部を有し、
前記めくれ防止突起が前記凹部に形成されている
ことを特徴とする（１）に記載のコネクタ。
（３）  前記めくれ防止突起は、前記ロックアームよりも前記ハウジング本体側に設けられている
ことを特徴とする（１）または（２）に記載のコネクタ。
【０００７】
上記（１）の構成のコネクタによれば、ロックアームの揺動アームに形成された係止突起が保護壁に形成されためくれ防止突起に当接することで、揺動アームの過剰な揺動が規制される。したがって、ロックアームの外力による破損・損傷を抑制できる。
しかも、係止突起とめくれ防止突起の前端面及び後端面が面一とされているので、金型を用いてハウジングを射出成形した後に、金型を前端面及び後端面に沿って脱型させることができる。これにより、ハウジングを成形するための金型の複雑化を抑制でき、製造コストを抑えることができる。
また、揺動アームが揺動する際に互いに当接する係止突起及びめくれ防止突起は、その前端面及び後端面が面一とされているので、互いに全長にわたって当接することとなる。つまり、揺動アームが揺動する際の力をめくれ防止突起の嵌合方向の全長で受け止めることができ、揺動アームのめくれ防止効果を十分に発揮させることができる。
上記（２）の構成のコネクタによれば、めくれ防止突起が保護壁におけるロックアーム側の凹部に形成されているので、めくれ防止突起を設けることによる嵩張りを抑えつつ揺動アームのめくれを抑制することができる。
上記（３）の構成のコネクタによれば、めくれ防止突起がロックアームよりもハウジング本体側に設けられているので、めくれ防止突起を設けることによる出っ張りを抑えつつ揺動アームのめくれを抑制することができる。
【発明の効果】
【０００８】
本発明によれば、製造コストの嵩張りを抑えつつ、外力によるロックアームの過度な変位を効果的に抑制することが可能なコネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るコネクタを示すオスハウジング及びメスハウジングの斜視図である。
【図２】図２は、メスハウジングの分解斜視図である。
【図３】図３は、メスハウジングの縦方向に沿う断面図である。
【図４】図４は、メスハウジングのロック機構部を示す図であって、図４（ａ）はメスハウジングの上面図、図４（ｂ）はメスハウジングの上部における縦方向に沿う断面図である。
【図５】図５は、メスハウジングのロック機構部を示す図であって、図５（ａ）はメスハウジングの上部における後方から視た斜視図、図５（ｂ）はメスハウジングの上部における後面図である。
【図６】図６は、めくれ防止突起及び係止突起を示す図であって、図６（ａ）は図５（ｂ）におけるＡ−Ａで断面視した斜視図、図６（ｂ）は図５（ｂ）におけるＡ−Ａ断面図である。
【発明を実施するための形態】
【００１１】
以下、本発明に係る実施の形態の例を、図面を参照して説明する。
図１は、本実施形態に係るコネクタを示すオスハウジング及びメスハウジングの斜視図である。
図１に示すように、本実施形態の係るコネクタ１０は、オスハウジング（相手側ハウジング）７０に嵌合されるメスハウジング（ハウジング）２０を備えている。
【００１２】
オスハウジング７０は接続部７０ａを有し、メスハウジング２０はフード部２０ａを有しており、オスハウジング７０の接続部７０ａとメスハウジング２０のフード部２０ａとを嵌合させることで互いに接合される。
【００１３】
オスハウジング７０は、合成樹脂から成形されたもので、筒状の接続部７０ａを有している。このオスハウジング７０には、複数のオス端子（図示略）が設けられており、これらのオス端子は、接続部７０ａ内に配置されている。
【００１４】
オスハウジング７０は、接続部７０ａの上部に、一対のガイド突条７１と、突起部７２とを有している。ガイド突条７１は、メスハウジング２０との嵌合方向（以下、単に嵌合方向と呼ぶ）に沿って間隔をあけて形成されている。突起部７２は、一対のガイド突条７１の間である接続部７０ａの上部における幅方向中央位置に形成されている。突起部７２は、接続部７０ａの上面から突設されており、嵌合方向の前方側には、オスハウジング７０の後端側へ向かって次第に上方へ傾斜したガイド面７３が形成されている。
【００１５】
図２は、メスハウジングの分解斜視図である。図３は、メスハウジングの縦方向に沿う断面図である。
図２及び図３に示すように、メスハウジング２０は、筒状に形成されたフード部２０ａを有するハウジング本体２１を備えており、ハウジング本体２１の内部には、嵌合部２２が突設されている。メスハウジング２０は、合成樹脂から成形されたもので、嵌合部２２には、複数の端子収容室２３が形成されている。これらの端子収容室２３には、電線２４の端部に接続されたメス端子２５がそれぞれ収容されており、電線２４は、ハウジング本体２１の後端から引き出されている。端子収容室２３には、電線２４に装着されたシール部材２６がハウジング本体２１の後端側から嵌め込まれている。これにより、メス端子２５が収容されたハウジング本体２１の端子収容室２３が止水されている。
【００１６】
メス端子２５は、例えば、銅または銅合金等の導電性金属材料から形成されたもので、電線２４に圧着されて接続されている。このメス端子２５は、筒状に形成された電気接続部２７を有している。
【００１７】
メスハウジング２０の嵌合部２２には、先端側からオスハウジング７０との接合箇所をシールする環状のシール部材２８が装着されている。さらに、この嵌合部２２には、合成樹脂から成形されたフロントホルダー２９が組付けられている。そして、このフロントホルダー２９が嵌合部２２に組付けられることで、端子収容室２３へ収容されたメス端子２５の前方への移動が規制され、また、シール部材２８が嵌合部２２に保持される。
【００１８】
図４は、メスハウジングのロック機構部を示す図であって、図４（ａ）はメスハウジングの上面図、図４（ｂ）はメスハウジングの上部における縦方向に沿う断面図である。
【００１９】
図４（ａ）及び図４（ｂ）に示すように、メスハウジング２０には、ハウジング本体２１の上部に、ロック機構部３０が設けられている。ロック機構部３０は、ロックアーム３１を有している。ロックアーム３１は、一対の支持アーム３２と、揺動アーム３３とを有している。支持アーム３２は、ハウジング本体２１に連設されて嵌合方向の前方側へ延在された片持ち支持梁状に形成されている。支持アーム３２は、互いに間隔をあけて並列に配置されている。揺動アーム３３は、一対の支持アーム３２の間に設けられている。この揺動アーム３３は、嵌合方向の前方側の端部がそれぞれの支持アーム３２に連設されて嵌合方向の後方側へ延在されている。揺動アーム３３は、支持アーム３２との連設側と反対側の後端部に、操作部３４を有している。操作部３４は、それぞれ側方へ張り出す張出部３５を有している。支持アーム３２と揺動アーム３３とが連設されたロックアーム３１の前端には、ハウジング本体２１側へ突出するロック爪３６が形成されている。ロックアーム３１は、支持アーム３２が弾性変形することで、揺動アーム３３が揺動される。
【００２０】
また、ロック機構部３０は、一対の保護壁４１を有している。これらの保護壁４１は、ロックアーム３１の両側部に立設されており、ロックアーム３１は、保護壁４１によって側方が囲われて保護されている。これにより、ロックアーム３１は、その両側が保護壁４１によって囲われて保護されている。保護壁４１の嵌合方向の前方側には、梁部４２が設けられている。この梁部４２は、両端が保護壁４１に連設されており、ハウジング本体２１に対して隙間をあけて配置されている。これらの保護壁４１は、嵌合方向の後方側の端部における揺動アーム３３側に凹部４３を有している。保護壁４１の凹部４３には、揺動アーム３３の操作部３４に形成された張出部３５が配置されている。
【００２１】
図５は、メスハウジングのロック機構部を示す図であって、図５（ａ）はメスハウジングの上部における後方から視た斜視図、図５（ｂ）はメスハウジングの上部における後面図である。図６は、めくれ防止突起及び係止突起を示す図であって、図６（ａ）は図５（ｂ）におけるＡ−Ａで断面視した斜視図、図６（ｂ）は図５（ｂ）におけるＡ−Ａ断面図である。
【００２２】
図５（ａ）及び図５（ｂ）に示すように、ロック機構部３０は、ロックアーム３１の揺動アーム３３に設けられた係止突起５１と、保護壁４１に設けられためくれ防止突起５２とを有している。
【００２３】
図６（ａ）及び図６（ｂ）に示すように、係止突起５１は、揺動アーム３３の操作部３４に設けられた張出部３５の端面に形成されており、この張出部３５から保護壁４１へ向かって突出されている。めくれ防止突起５２は、保護壁４１の凹部４３の底面に形成されており、この凹部４３から揺動アーム３３の操作部３４へ向かって突出されている。
【００２４】
めくれ防止突起５２は、揺動アーム３３の操作部３４に形成された係止突起５１に対してハウジング本体２１と反対側に設けられている。そして、これらの係止突起５１とめくれ防止突起５２とは、揺動アーム３３の後端において、揺動アーム３３の揺動方向に重なり合う位置に形成されており、互いに隙間をあけて配置されている。
【００２５】
また、係止突起５１とめくれ防止突起５２とは、嵌合方向の前方側の端面である前端面５１ａ，５２ａが嵌合方向と直交する上下方向に沿って面一とされている。さらに、係止突起５１とめくれ防止突起５２とは、嵌合方向の後方側の端面である後端面５１ｂ，５２ｂが嵌合方向と直交する上下方向に沿って面一とされている。めくれ防止突起５２は、ロックアーム３１よりもハウジング本体２１側に設けられており、その上面５２ｃがロックアーム３１の揺動アーム３３における操作部３４の上面３４ａよりもハウジング本体２１側に配置されている。
【００２６】
次に、オスハウジング７０にコネクタ１０のメスハウジング２０を嵌合させる場合について説明する。
【００２７】
オスハウジング７０の接続部７０ａにメスハウジング２０のフード部２０ａを近接させて嵌合部２２を嵌め込む。すると、オスハウジング７０のガイド突条７１によってロック機構部３０が案内され、メスハウジング２０のロックアーム３１のロック爪３６がオスハウジング７０の突起部７２のガイド面７３に接触する。
【００２８】
オスハウジング７０に対してメスハウジング２０を押し込むと、突起部７２のガイド面７３に接触していたロックアーム３１のロック爪３６がガイド面７３に沿って摺動して乗り上げ始め、ロックアーム３１の支持アーム３２が弾性変形される。これにより、ロックアーム３１の揺動アーム３３は、ロック爪３６を有する前端側がハウジング本体２１から離間する方向へ変位されることで揺動する。
【００２９】
オスハウジング７０に対してメスハウジング２０をさらに押し込むことで、ロック爪３６が突起部７２の嵌合方向の前方側へ達する。このとき、弾性変形していた支持アーム３２が復元して揺動アーム３３が逆方向へ揺動し、ロック爪３６が突起部７２の嵌合方向の前方側に入り込んで係止する。これにより、オスハウジング７０に対してメスハウジング２０が嵌合された状態でロックさる。
【００３０】
この嵌合状態において、メスハウジング２０の嵌合部２２に装着されたシール部材２８にオスハウジング７０の接続部７０ａが密着し、オスハウジング７０とメスハウジング２０との接合箇所が確実にシールされる。そして、この嵌合状態では、メス端子２５の電気接続部２７にオス端子が挿入され、メス端子２５とオス端子とが電気的に接続される。
【００３１】
次に、オスハウジング７０からメスハウジング２０を離脱させる場合について説明する。
【００３２】
オスハウジング７０からメスハウジング２０を離脱させるには、メスハウジング２０のロックアーム３１における揺動アーム３３の後端の操作部３４をハウジング本体２１側へ押下する。
【００３３】
すると、揺動アーム３３が揺動され、ロックアーム３１の前端側がハウジング本体２１から離間する方向へ変位する。これにより、ロック爪３６がハウジング本体２１から離間されてロック爪３６への係止状態が解除され、オスハウジング７０に対するメスハウジング２０のロック状態が解除される。
【００３４】
この状態において、オスハウジング７０に対してメスハウジング２０を引き離す方向へ移動させる。これにより、メスハウジング２０がオスハウジング７０から離脱され、メス端子２５とオス端子との電気的な接続状態が解除される。
【００３５】
本実施形態のように、揺動アーム３３が揺動するロックアーム３１を備えたコネクタ１０では、外力によって揺動アーム３３の後端が過度に持ち上げられると、揺動アーム３３が過剰に揺動して破損・損傷するおそれがある。
【００３６】
しかし、本実施形態に係るコネクタ１０では、揺動アーム３３に係止突起５１が設けられ、さらに、保護壁４１にめくれ防止突起５２が設けられている。したがって、ロックアーム３１の揺動アーム３３は、係止突起５１が保護壁４１のめくれ防止突起５２に当接することで過剰な揺動が規制される。つまり、外力によって揺動アーム３３の後端が過剰に持ち上げられることによる破損・損傷を抑えることができる。また、メスハウジング２０の成形後における金型の脱型時に、脱型される金型に引っ張られて揺動アーム３３がハウジング本体２１から引き離されても、係止突起５１が保護壁４１のめくれ防止突起５２に当接する。このため、揺動アーム３３のめくれ上がりを抑えることができる。
【００３７】
ところで、互いに重なり合う位置に形成された係止突起５１及びめくれ防止突起５２を備えた構造において、係止突起５１よりも外側のめくれ防止突起５２が大きいと、重なり方向へ型抜きできないアンダーカットとなる。このため、メスハウジング２０を成形するために、細かく分割された複雑な金型が必要となり、製造コストが嵩んでしまう。反対に、ハウジング本体２１に対して係止突起５１よりも外側のめくれ防止突起５２を小さくすると、めくれ防止突起５２による揺動アーム３３のめくれ抑制効果が低減してしまう。
【００３８】
これに対して、本実施形態に係るコネクタ１０によれば、係止突起５１とめくれ防止突起５２の前端面５１ａ，５２ａ及び後端面５１ｂ、５２ｂが嵌合方向に直交する方向に沿って面一とされている。このため、金型を用いてメスハウジング２０を射出成形した後に、金型を前端面５１ａ，５２ａ及び後端面５１ｂ、５２ｂに沿って脱型させることができる。これにより、メスハウジング２０を成形するための金型の複雑化を抑制でき、製造コストを抑えることができる。
【００３９】
また、揺動アーム３３が揺動する際に互いに当接する係止突起５１及びめくれ防止突起５２は、その前端面５１ａ，５２ａ及び後端面５１ｂ、５２ｂが面一とされているので、互いに全長にわたって当接することとなる。つまり、揺動アーム３３が揺動する際の力をめくれ防止突起５２の嵌合方向の全長で受け止めることができ、揺動アーム３３のめくれ防止効果を十分に発揮させることができる。
【００４０】
また、めくれ防止突起５２が保護壁４１におけるロックアーム３１側の凹部４３に形成されているので、めくれ防止突起５２を設けることによる嵩張りを抑えつつ揺動アーム３３のめくれを抑制することができる。
【００４１】
しかも、めくれ防止突起５２がロックアーム３１よりもハウジング本体２１側に設けられているので、めくれ防止突起５２を設けることによる出っ張りを抑えつつ揺動アーム３３のめくれを抑制することができる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
ここで、上述した本発明に係るコネクタの実施形態の特徴をそれぞれ以下［１］〜［３］に簡潔に纏めて列記する。
［１］  相手側ハウジング（オスハウジング７０）に嵌合されるハウジング本体（２１）と、
前記ハウジング本体（２１）の外周の一部に設けられ、前記相手側ハウジング（オスハウジング７０）に形成された突起部（７２）を係止してロックするロックアーム（３１）と、
を有するハウジング（メスハウジング２０）を備えたコネクタ（１０）であって、
前記ロックアーム（３１）は、
前記相手側ハウジング（オスハウジング７０）に対する前記ハウジング本体（２１）の嵌合方向に沿って延在されて前記ハウジング本体（２１）に対して揺動可能に支持された揺動アーム（３３）と、
前記揺動アーム（３３）における前記嵌合方向の前方側で前記ハウジング本体（２１）側へ突設され、前記相手側ハウジング（オスハウジング７０）に対する前記ハウジング本体（２１）の嵌合によって前記突起部（７２）を係止する係止爪（ロック爪３６）と、
前記揺動アーム（３３）における前記嵌合方向の後方側に形成されて両側方へ向かって突設された係止突起（５１）と、
を備え、
前記ハウジング本体（２１）は、前記ロックアーム（３１）の両側に沿って立設された保護壁（４１）を有し、
前記保護壁（４１）は、前記揺動アーム（３３）へ向かって突設されて前記係止突起（５１）に対して前記ハウジング本体（２１）と反対側で前記揺動アーム（３３）の揺動方向に重なり合う位置に形成されためくれ防止突起（５２）を有し、
前記係止突起（５１）と前記めくれ防止突起（５２）の前記嵌合方向の前端面（５１ａ，５２ａ）及び後端面（５１ｂ，５２ｂ）がそれぞれ面一とされている
ことを特徴とするコネクタ。
［２］  前記保護壁（４１）には、前記ロックアーム（３１）側に凹部（４３）を有し、
前記めくれ防止突起（５２）が前記凹部（４３）に形成されている
ことを特徴とする［１］に記載のコネクタ。
［３］  前記めくれ防止突起（５２）は、前記ロックアーム（３１）よりも前記ハウジング本体（２１）側に設けられている
ことを特徴とする［１］または［２］に記載のコネクタ。
【符号の説明】
【００４４】
１０：コネクタ
２０：メスハウジング（ハウジング）
２１：ハウジング本体
３１：ロックアーム
３３：揺動アーム
３６：ロック爪（係止爪）
４１：保護壁
４３：凹部
５１：係止突起
５１ａ，５２ａ：前端面
５１ｂ，５２ｂ：後端面
５２：めくれ防止突起
７０：オスハウジング（相手側ハウジング）
７２：突起部
【図１】
2020173909.tif 000003
【図２】
2020173909.tif 000004
【図３】
2020173909.tif 000005
【図４】
2020173909.tif 000006
【図５】
2020173909.tif 000007
【図６】
2020173909.tif 000008